(57)【要約】【課題】簡易な構成で薄型化可能な照明器具が提供される。【解決手段】実施形態の照明器具は、筐体と、光源モジュールと、保持部とを備える。前記筐体は、取付け孔を有する。前記光源モジュールは、照明光源を有し、前記筐体に実装される。前記保持部は、ナット部とフランジ部とを有する。ナット部は、天井から垂下する吊りボルトに螺合されるねじ溝を有し前記筐体の下方から前記取付け孔に挿通される。フランジ部は、前記ナット部の下方において側方に突出し前記ナット部が前記取付け孔に挿通され前記吊りボルトに螺合された状態において前記筐体を下方から支持する。【選択図】図１
2013201020.tif 000002
【特許請求の範囲】
【請求項１】
取付け孔を有する筐体と、
照明光源を有し、前記筐体に実装された光源モジュールと、
天井から垂下する吊りボルトに螺合されるねじ溝を有し前記筐体の下方から前記取付け孔に挿通されるナット部と、前記ナット部の下方において側方に突出し前記ナット部が前記取付け孔に挿通され前記吊りボルトに螺合された状態において前記筐体を下方から支持するフランジ部と、を有する保持部と、
を備えた照明器具。
【請求項２】
前記保持部は、前記フランジ部を貫通する貫通孔を有する請求項１記載の照明器具。
【請求項３】
前記保持部は、前記フランジ部を貫通するねじ溝を有する請求項１記載の照明器具。
【請求項４】
前記フランジ部は、前記筐体に向けて突出した突出部を有する請求項１記載の照明器具。
【請求項５】
前記筐体は、外周において径外方向に突出した突出部を有する請求項１〜４のいずれか１つに記載の照明器具。
【発明の詳細な説明】
【技術分野】
【０００１】
本発明の実施形態は、照明器具に関する。
【背景技術】
【０００２】
近年、照明器具におおける照明光源は、白熱電球や蛍光灯から省エネルギー・長寿命・小形の光源、例えば発光ダイオード（Light-emitting diode：ＬＥＤ）への置き換えが進んでいる。また、例えばＬＥＤは、蛍光灯と比較して薄いため、照明器具の薄型化が可能である。例えば、天井などに取付ける従来の比較的厚さのある照明器具を薄型化した照明器具で置き換えるためには、取付け方法に工夫を要する場合がある。
【先行技術文献】
【特許文献】
【０００３】
【特許文献１】特開２０１１−３４３４号公報
【発明の概要】
【発明が解決しようとする課題】
【０００４】
簡易な構成で薄型化可能な照明器具を提供することを目的とする。
【課題を解決するための手段】
【０００５】
実施形態の照明器具は、筐体と、光源モジュールと、保持部とを備える。前記筐体は、取付け孔を有する。前記光源モジュールは、照明光源を有し、前記筐体に実装される。前記保持部は、ナット部とフランジ部とを有する。ナット部は、天井から垂下する吊りボルトに螺合されるねじ溝を有し前記筐体の下方から前記取付け孔に挿通される。フランジ部は、前記ナット部の下方において側方に突出し前記ナット部が前記取付け孔に挿通され前記吊りボルトに螺合された状態において前記筐体を下方から支持する。
【発明の効果】
【０００６】
本発明の実施形態によれば、簡易な構成で薄型化可能な照明器具が提供される。
【図面の簡単な説明】
【０００７】
【図１】第１の実施形態に係る照明器具を例示する模式図であり、（ａ）は平面図、（ｂ）は天井に取付けた状態における（ａ）のＡ−Ａ線断面図である。
【図２】第１の実施形態における保持部と吊りボルトとを例示する斜視図である。
【図３】比較例の照明器具を例示する断面図である。
【図４】第２の実施形態における保持部及び筐体の一部を例示する斜視図である。
【図５】第３の実施形態における保持部及び筐体の一部を例示する斜視図である。
【発明を実施するための形態】
【０００８】
以下、実施形態について図面を参照して詳細に説明する。なお、図面は模式的または概念的なものであり、各部分の形状や縦横の寸法の関係、部分間の大きさの比率などは、必ずしも現実のものと同一とは限らない。また、同じ部分を表す場合であっても、図面により互いの寸法や比率が異なって表される場合もある。また、本願明細書と各図において、既出の図に関して前述したものと同様の要素には同一の符号を付して詳細な説明は適宜省略する。
【０００９】
（第１の実施形態）
図１は、第１の実施形態に係る照明器具を例示する模式図であり、（ａ）は平面図、（ｂ）は天井に取付けた状態における（ａ）のＡ−Ａ線断面図である。
図２は、第１の実施形態における保持部と吊りボルトとを例示する斜視図である。
本実施形態の照明器具１は、天井１００から垂下する吊りボルト１０１に取付けて用いられるいわゆるベースライトである。
【００１０】
天井１００は、上側天井１０２と下側天井１０３とを有し、二重天井として構成される。上側天井１０２は、下側天井１０３よりも上部に設けられ、吊りボルト１０１を固定する。下側天井１０３は、上側天井１０２と反対側である下側が平坦に形成され、吊りボルト１０１を下方から臨む開口部１０４が設けられている。開口部１０４には、照明器具１が埋め込まれる。吊りボルト１０１の一端は、天井１００における上側天井１０２に固定され、吊りボルト１０１の他端には、ねじが設けられている。
【００１１】
照明器具１は、筐体２と、筐体２に実装された光源ユニット３と、光源ユニット３を覆う透光カバー４と、保持部５と、を備える。
【００１２】
筐体２は、例えば樹脂、例えば金属などで、平面形状が例えば長方形状である箱形に形成される。筐体２は、保持部５に接した底板６を上にして天井１００に固定される。筐体２は、照明器具１を天井１００に固定するとともに、光源ユニット３を実装する支持体として機能する。
【００１３】
筐体２は、取付け孔７と、突出部８と、実装部９と、回転防止部１５と、を有する。取付け孔７は、箱形の底板６の長手方向の中心線に沿って設けられる。突出部８は、筐体２の外周において径外方向に突出している。図１に表した具体例の場合、突出部８は、底板６よりも側方（下側天井１０３側）に突出し、底板６よりも平面形状が大きく形成されている。突出部８は、天井１００における開口部１０４及び下側天井１０３の下面に接して、筐体２を天井１００に固定する。実装部９は、底板６とほぼ平行に、取り外し可能に設けられる。また回転防止部１５は、保持部５をねじ止めして回転を防止する部分であり、例えばねじ孔である。
【００１４】
光源ユニット３は、実装部９に実装される。光源ユニット３には、照明光源１０として、例えばＬＥＤなどの発光素子が設けられている。また、照明光源１０を点灯させる図示しない点灯回路が設けられてもよい。
照明光源１０は、発光面を底板６と反対側に向けて、ほぼ等間隔に実装される。なお、照明光源１０の数は、電源電圧や光出力などに応じて任意数とすることができる。
【００１５】
透光カバー４は、照明器具１における光取出面側の外観を構成するとともに、光源ユニット３を保護する枠として機能する。透光カバー４は、例えば光透過性を有する樹脂などで形成される。また、透光カバー４は、例えば乳白色などに着色され、光源ユニット３を外部から目視できない程度に半透明に形成される。また、透光カバー４は、光源ユニット３から放射される光を拡散させる光学材料を含んでもよい。
【００１６】
保持部５は、ナット部１１と、フランジ部１２と、を有する。
ナット部１１は、例えば金属などにより円柱形状に形成される。ナット部１１には、天井１００における上側天井１０２から垂下する吊りボルト１０１に螺合されるねじ溝が設けられている。また、ナット部１１は、筐体２の下方から取付け孔７に挿通され、回転可能な形状に形成される。
【００１７】
フランジ部１２は、例えば金属などにより円板形状に形成される。フランジ部１２は、ナット部１１の下方においてナット部１１よりも側方に突出している。フランジ部１２は、ナット部１１が筐体２の取付け孔７に挿通され吊りボルト１０１に螺合された状態において、筐体２を下方から支持する。また、フランジ部１２には、貫通孔１３が設けられ、筐体２の底板６に設けられた回転防止部１５にねじ１４で固定される。ナット部１１とフランジ部１２とは、同一材料により一体として形成されてもよく、また別体として形成されてもよい。
【００１８】
保持部５は、吊りボルト１０１と螺合され、筐体２における底板６の内側から取付け孔７に接して、筐体２を固定する。保持部５が適切な強度で吊りボルト１０１と螺合されていれば、吊りボルト１０１の先端は、保持部５におけるナット部１１のねじ溝の底から離間してもよい。吊りボルト１０１の先端とナット部１１のねじ溝の底との距離が変化しても、保持部５が適切な強度で吊りボルト１０１と螺合されていれば照明器具１を固定することができるため、厚さの異なる照明器具１及び長さの異なる吊りボルト１０１にも用いることができる。
【００１９】
照明器具１を天井１００に取付ける場合は、例えば実装部９を筐体２から取り外した状態で、筐体２を天井１００の開口部１０４に埋め込み、保持部５を取付け孔７に挿通させる。
次に、保持部５を回転させ、フランジ部１２が筐体２の下方から接触して筐体２を支持できるまで、ナット部１１を吊りボルト１０１に螺合させる。
次に、保持部５のフランジ部１２を筐体２の回転防止部１５にねじ止めして、保持部５の回転を防止し、固定後のゆるみを防止する。
【００２０】
本実施形態においては、照明器具１内には、保持部５のフランジ部１２が入るスペースがあればよいため、照明器具１を薄型化することができる。
【００２１】
照明器具を小型化及び薄型化すると、照明器具内のスペースも狭くなり余裕がなくなってくる。吊りボルト１０１で固定する際に、例えば保持部５を用いない場合でも、器具内部の吊りボルト１０１の長さ（出幅）を制限することにより、照明器具の小型化に対応することは可能である。
【００２２】
図３は、比較例の照明器具を例示する断面図である。
図３に表したように、比較例の照明器具２０１は、第１の実施形態の照明器具１と比較して、筐体２及び保持部５の構成が異なり、筐体２及び保持部５を、それぞれ筐体２０２及びナット２０５に置き換えて構成されている。
【００２３】
筐体２０２は、保持部５が挿通する取付け孔７の替わりに、吊りボルト１０１が挿通するボルト孔２０７が設けられていた底板２０６を有している。
比較例の照明器具２０１においては、底板２０６のボルト孔２０７を挿通する吊りボルト１０１と、底板２０６の内側に設けられたナット２０５とを螺合させて、照明器具２０１を固定する。したがって、照明器具２０１を吊りボルト１０１に固定するためには、吊りボルト１０１の先端が、筐体２０２における底板２０６と、実装部９との間に位置するように、吊りボルト１０１の長さを制限することが必要になる。また、照明器具２０１を薄型化すると、吊りボルト１０１の長さの許容値が狭くなってくる。
【００２４】
吊りボルト１０１の長さを制限することは、照明器具を取り付ける工事をする側に制約を持たせることになり、工事業者は、吊りボルト１０１の切断長を厳密に管理しなければならず、施工性の悪化要因となる。
【００２５】
これに対して、本実施形態においては、吊りボルト１０１の長さが変化しても保持部５が適切な強度で吊りボルト１０１と螺合していれば照明器具１を固定できるため、吊りボルト１０１の長さを厳密に管理してなくてもよい。その結果、施工性を改善することができる。
【００２６】
また、蛍光灯などの比較的大きい照明光源を用いた照明器具を、薄型化した照明器具と交換する場合においては、吊りボルト１０１の長さが短く、筐体２まで届かない場合がある。この場合、例えば継ぎ金具などで、吊りボルト１０１を延長する必要があり、施工性の悪化要因となる。また、延長した吊りボルトの長さを厳密に管理する必要性は、吊りボルト１０１が長い場合と同様である。
【００２７】
これに対して、本実施形態においては、保持部５が、筐体２の取り付け孔７を挿通し、底板６から吊りボルト１０１の方向に突出しているため、吊りボルト１０１の長さが短くても照明器具１を固定することができる。その結果、吊りボルト１０１を延長する必要がなく、施工性が改善される。
【００２８】
また、比較例の照明器具２０１においては、必要以上にナット２０５を締め上げることで、筐体２０２が変形する可能性がある。
これに対して、本実施形態においては、回転防止部１５が設けられ、保持部５の回転を防止するため、固定後のゆるみを防止することができる。その結果、保持部５を一度固定すると、保持部５の脱落しないため、保持部５を回転させて締めすぎることがなく、筐体２の変形を防止することができる。
【００２９】
（第２の実施形態）
図４は、第２の実施形態における保持部及び筐体の一部を例示する斜視図である。
第２の実施形態は、第１の実施形態と比較して、保持部及び筐体の構成が異なり、本実施形態においては、照明器具１における保持部５及び筐体２の替わりに、保持部５ａ及び筐体２ａが設けられている。
【００３０】
筐体２ａは、照明器具１における筐体２の底板６を、底板６ａに交換して構成されている。底板６ａには、回転防止部１５ａとして、凹部が形成されている。なお、回転防止部１５ａは、任意数設けることができる。
【００３１】
保持部５ａは、保持部５におけるフランジ部１２をフランジ部１２ａに置き換えて構成されている。保持部５ａにおけるナット部１１は、保持部５におけるナット部１１と同様である。
【００３２】
フランジ部１２ａは、例えば金属などにより平面形状が多角形に形成されている。フランジ部１２ａは、ナット部１１よりも側方に突出し、筐体２ａの底板６ａ及び取付け孔７の下面に接すればよく、例えば６角形、８角形などの多角形でもよい。また、フランジ部１２ａには、ねじ溝１６が設けられている。フランジ部１２ａは、筐体２ａの底板６ａに設けられた回転防止部１５ａにねじ１４で固定される。ねじ１４は、フランジ部１２ａのねじ溝１６にねじ止めされ、ねじ１４の先端部は、底板６ａに設けられた回転防止部１５ａに嵌合して、保持部５ａの回転が、防止される。なお、ねじ溝１６は、任意数設けることができる。また、ナット部１１とフランジ部１２ａとは、同一材料により一体として形成されてもよく、また別体として形成されてもよい。
【００３３】
本実施形態においては、第１の実施形態における効果に加えて、フランジ部１２ａが多角形状であるため、保持部５ａを回転させるのが容易であり、吊りボルト１０１にさらに確実に螺合させることができる。
また、回転防止部１５ａが凹部として形成されているため、ねじ孔にねじ止めする場合と比較して、施工性が改善される。
【００３４】
（第３の実施形態）
図５は、第３の実施形態における保持部及び筐体の一部を例示する斜視図である。
第３の実施形態は、第２の実施形態と比較して、保持部の構成が異なり、本実施形態においては、保持部５ａの替わりに、保持部５ｂが設けられている。筐体２ａは、第２の実施形態と同様に、回転防止部１５ａが凹部として形成された底板６ａを有している。
【００３５】
保持部５ｂは、保持部５ａにおけるフランジ部１２ａをフランジ部１２ｂに置き換えて構成されている。保持部５ｂにおけるナット部１１は、保持部５ａにおけるナット部１１と同様である。
【００３６】
フランジ部１２ｂは、例えば金属などにより平面形状が長方形における短辺側を円弧状とした略楕円形または略長方形に形成されている。フランジ部１２には、フランジ部１２ｂから底板６ａの方向に突出した突出部１７が設けられている。突出部１７は、底板６ａに設けられた回転防止部１５ａに嵌合して、保持部５ｂの回転が、防止される。なお、突出部１７は、任意数設けることができる。また、ナット部１１とフランジ部１２ｂとは、同一材料により一体として形成されてもよく、また別体として形成されてもよい。
【００３７】
本実施形態においては、第２の実施形態における効果に加えて、突出部１７がフランジ部１２ｂに設けられているため、施工性がさらに改善される。
【００３８】
以上、具体例を参照しつつ実施形態について説明したが、それらに限定されるものではなく、種々の変形が可能である。
例えば、照明光源１０は、ＬＥＤまたはＯＬＥＤ（Organic light-emitting diode）またはＥＬ（Electro-Luminescence）などでもよく、また照明光源１０は、複数個のＬＥＤが直列又は並列に接続されていてもよい。
【００３９】
また、筐体２の平面形状は、長方形状に限らず、円形状、楕円形状でもよい。また、取付け孔７の数は、照明器具１の形状及び重量に応じて任意数とすることができる。
また、フランジ部１２、１２ａ、１２ｂは、ナット部１１よりも側方に突出し、筐体２の底板６ａ、筐体２ａの底板６ａ及び取付け孔７の下面に接すればよく、任意の平面形状としてもよい。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１…照明器具、  ２、２ａ…筐体、  ３…光源ユニット、  ４…透光カバー、  ５、５ａ、５ｂ…保持部、  ６、６ａ…底板、  ７…取付け孔、  ８…突出部、  ９…実装部、  １０…照明光源、  １１…ナット部、  １２、１２ａ、１２ｂ…フランジ部、  １３…貫通孔、  １４…ねじ、  １５、１５ａ…回転防止部、  １６…ねじ溝、  １７…突出部、  １００…天井、  １０１…吊りボルト、  １０２…上側天井、  １０３…下側天井、  １０４…開口部、  ２０１…照明器具、  ２０２…筐体、  ２０５…ナット、  ２０６…底板、  ２０７…ボルト孔
【図１】
2013201020.tif 000003
【図２】
2013201020.tif 000004
【図３】
2013201020.tif 000005
【図４】
2013201020.tif 000006
【図５】
2013201020.tif 000007